(57)【要約】【課題】用紙パック開封時に包装紙内の用紙束を人手により撓ませて開封する。【解決手段】所定枚数の用紙Ｐを積層した用紙束ＰＰを包装紙１１で包んだ用紙パック１０Ａにおいて、包装紙１１は、一つの方向の前方側を前面１１ａ側に設定した場合に、この上面１１ｆｇが一つの方向と直交する方向を一方の上面１１ｆと他方の上面１１ｇとに２分されて、一方の上面１１ｆのうちで一つの方向に沿った側端部１１ｆ１側が他方の上面１１ｇのうちで一つの方向に沿った側端部１１ｇ１側の下に潜り込んで封じ込められており、且つ、他方の上面１１ｇに用紙パック１０Ａを開封するための切り取り線１１ｈが一つの方向に沿って形成されていると共に、上面１１ｆｇに用紙パック１０Ａの開封順序を示す用紙パック開封順表示部１１ｉが前面１１ａ側から後面１１ｂ側に向かって開封順に設けられている用紙パック１０Ａを提供する。【選択図】図１
2017226421.tif 000002
【特許請求の範囲】
【請求項１】
所定枚数の用紙を積層した用紙束の周囲を包装紙で包んだ用紙パックにおいて、
前記包装紙は、前記用紙の紙面と平行な一つの方向の前方側を前面側に設定した場合に、この上面が前記一つの方向と直交する方向を一方の上面と他方の上面とに２分されて、前記一方の上面のうちで前記一つの方向に沿った側端部側が前記他方の上面のうちで前記一つの方向に沿った側端部側の下に潜り込んで前記一つの方向と平行に形成された接着部により封じ込められており、且つ、前記他方の上面に前記用紙パックを開封するための切り取り線が前記一つの方向に沿って形成されていると共に、前記上面に前記用紙パックの開封順序を示す用紙パック開封順表示部が前記前面側から後面側に向かって用紙パック開封順に設けられていることを特徴とする用紙パック。
【請求項２】
前記包装紙は、前記一方の上面の側端部側が前記他方の上面の側端部側の下に潜り込んだ際に、前記一方の上面と前記他方の上面とが前記一つの方向と直交する方向に帯状に重なり、前記他方の上面の縁部近傍に前記接着部が形成されるとともに、前記他方の上面の前記一方の上面と重なる部分であって、前記接着部と前記一方の上面の縁部との間に前記切り取り線が形成されていることを特徴とする請求項１記載の用紙パック。
【発明の詳細な説明】
【技術分野】
【０００１】
本発明は、給紙装置に適用され、所定枚数の用紙を積層した用紙束の周囲を包装紙で包んだ用紙パックに関する。
【背景技術】
【０００２】
一般的に、所定枚数（例えば５００枚）の用紙を積層した用紙束の周囲を包装紙で包んだ用紙パックは、用紙に画像や文字を印刷する印刷装置や、用紙に画像や文字を複写する複写機などに設けた給紙装置に適用されている。
【０００３】
この種の用紙パックの一例として、包装紙の折り返し部における接着力の強弱に係わらず、長期間にわたって安定した開封動作を行うことができる用紙パックおよび給紙装置がある（例えば、特許文献１参照）。
【０００４】
図１５は特許文献１に開示された従来例の用紙パックを示している。
【０００５】
図１５に示す如く、特許文献１に開示された従来例の用紙パック１００では、この内部に用紙束１０１が包装シート（包装紙）１０２により包み込まれている。
【０００６】
そして、包装シート１０２の一端側の下部に突出部１０３が外側に向かって突出しており、この突出部１０３の上方に用紙後端を規制するバックフェンス１０６が包装シート１０２の一端側と対向して設置されている。
【０００７】
一方、包装シート１０２の一端側とは反対の他端側の上部には、折り返し部１０４が包装シート１０２の一端側に向かって短い長さに形成されており、この折り返し部１０４は接着部１０５により接着されている。
【０００８】
更に、包装シート１０２の上面１０２ｈには、接着部１０５に隣接し且つ突出部１０３の突出方向に対して直交する方向に亘って破断部１０７が形成されている。
【０００９】
この際、破断部１０７は包装シート１０２の他の部分よりも強度が小さく設定されており、具体的には、包装シート１０２に切れ目を設けるか、シート厚を薄くすることで形成されている。
【００１０】
そして、用紙パック１００を不図示の給紙装置内にセットしたときに、不図示の用紙パック開封装置により突出部１０３を矢印ａ方向に引くと、接着部１０５が剥がれる前に破断部１０７が切り離されるので、破断部１０７の存在により接着部１０５の状態に左右されることなく、用紙パック１００を安定して開封できる。
【先行技術文献】
【特許文献】
【００１１】
【特許文献１】特開平７−４０９１１号公報
【発明の概要】
【発明が解決しようとする課題】
【００１２】
ところで、特許文献１に記載された従来例の用紙パック１００では、前述したように、包装シート１０２の一端側の下部に形成した突出部１０３を自動的に矢印ａ方向に引くために用紙パック開封装置（図示せず）が必要であり、用紙パック１００の開封動作が大がかりになってしまう。
【００１３】
また、従来例の用紙パック１００では、前述したように、包装シート１０２の一端側の下部に形成した突出部１０３を矢印ａ方向に引くと、包装シート１０２の上部に形成した折り返し部１０４に隣接した破断部１０７が接着部１０５に影響されることなく破断することで、用紙パック１００を開封できる。
【００１４】
しかしながら、破断部１０７よりも後方の包装シート１０２の上部は閉じられたままであるので、この閉じられた部分の用紙束１０１は用紙同士が互いに密着して積層されている。
【００１５】
この際、包装シート１０２内で用紙同士が密着していると、用紙間の吸い付きにより、給紙装置による給紙動作において用紙の重送を起こし易い。給紙時の重送は、生産性の低下を招くために、その改善が求められている。
【００１６】
そこで、本発明は、所定枚数の用紙を積層した用紙束を包装紙で包んだ用紙パックを開封するための用紙パック開封装置等を設けることなく、用紙パック開封時に包装紙内の用紙束を人手により撓ませて用紙間に空気を入れて用紙同士を捌いた状態とすることのできる用紙パックを提供する。
【課題を解決するための手段】
【００１７】
本発明は上記課題に鑑みてなされたものであり、第１の発明は、所定枚数の用紙を積層した用紙束の周囲を包装紙で包んだ用紙パックにおいて、
前記包装紙は、前記用紙の紙面と平行な一つの方向の前方側を前面側に設定した場合に、この上面が前記一つの方向と直交する方向を一方の上面と他方の上面とに２分されて、前記一方の上面のうちで前記一つの方向に沿った側端部側が前記他方の上面のうちで前記一つの方向に沿った側端部側の下に潜り込んで前記一つの方向と平行に形成された接着部により封じ込められており、且つ、前記他方の上面に前記用紙パックを開封するための切り取り線（ミシン目）が前記一つの方向に沿って形成されていると共に、前記上面に前記用紙パックの開封順序を示す用紙パック開封順表示部が前記前面側から後面側に向かって用紙パック開封順に設けられていることを特徴とする用紙パックである。
【００１８】
また、第２の発明は、上記した第１の発明の用紙パックにおいて、前記包装紙は、前記一方の上面の側端部側が前記他方の上面の側端部側の下に潜り込んだ際に、前記一方の上面と前記他方の上面とが前記一つの方向と直交する方向に帯状に重なり、前記他方の上面の縁部近傍に前記接着部が形成されるとともに、前記他方の上面の前記一方の上面と重なる部分であって、前記接着部と前記一方の上面の縁部との間に前記切り取り線（ミシン目）が形成されていることを特徴とする用紙パックである。
【発明の効果】
【００１９】
第１の発明の用紙パックによると、包装紙は、用紙の紙面と平行な一つの方向の前方側を前面側に設定した場合に、この上面が一つの方向と直交する方向を一方の上面と他方の上面とに２分されて、一方の上面の側端部側が他方の上面の側端部側の下に潜り込んで接着により封じ込められており、且つ、他方の上面に用紙パックを開封するための切り取り線（ミシン目）が一つの方向に沿って形成されていると共に、上面に用紙パックの開封順序を示す用紙パック開封順表示部が前面側から後面側に向かって用紙パック開封順に設けられている。
【００２０】
この結果、ユーザが用紙パック開封順表示部に従って人手により用紙パックを開封できるので、従来例で説明したような用紙パック開封装置を設ける必要はない。また、用紙パックを用紙パック開封順表示部に従って開封する際に、例えば、包装紙のうちで一つの方向と直交する方向の両側面側を各用紙パック開封順の位置ごとに両手で把持しながら他方の上面に形成した切り取り線の近傍部位が凸状になるように撓ませることで、切り取り線を一つの方向に沿って前面側から後面側に向かって徐々に切り開き、包装紙を人手により撓ませたときに、包装紙内の用紙間に空気が十分に入り込むので、用紙一枚ずつの間に微小な滑りが生じて用紙束内の各用紙が無理なく捌かれると共に、用紙の給紙時に用紙の重送が生じる頻度を確実に減少させることができる。従って、本発明に係る用紙パックを用いることで、熟練していない通常のユーザでも用紙の重送が生じる可能性を確実に減少させることができる。また用紙パックに包まれた状態のため用紙を撓ませた際に生じる用紙束の揃えの乱れも抑えることができる。
【００２１】
また、第２の発明の用紙パックによると、包装紙は、一方の上面の側端部側が他方の上面の側端部側の下に潜り込んだ際に、前記一方の上面と前記他方の上面とが前記一つの方向と直交する方向に帯状に重なり、前記他方の上面の縁部近傍に前記接着部が形成されるとともに、前記他方の上面の前記一方の上面と重なる部分であって、前記接着部と前記一方の上面の縁部との間に前記切り取り線が形成されている。
【００２２】
このため、開封前の用紙パックに関して、用紙パックの切り取り線が形成された上面側が下向きになるように用紙パックを置くことで、用紙の重量によって切り取り線全体が前記帯状の部分と密着し、切り取り線部分からゴミや埃、及び湿気が侵入することを防止できる。また、用紙パックを積み重ねることにより、用紙の重量によって前記切り取り線と前記帯状の部分の密着が強められ、埃や湿気等の防止効果が一層高まる。
【図面の簡単な説明】
【００２３】
【図１】本発明の第１実施形態に係る用紙パックを一部破断して示した斜視図である。
【図２】（ａ），（ｂ）は本発明の第１実施形態に係る用紙パックを示した上面図，イ−イ断面図である。
【図３】本発明の第１実施形態に係る用紙パックにおいて、用紙パック開封動作１を示した斜視図である。
【図４】本発明の第１実施形態に係る用紙パックにおいて、用紙パック開封動作２を示した斜視図である。
【図５】本発明の第１実施形態に係る用紙パックにおいて、用紙パック開封動作３を示した斜視図である。
【図６】本発明の第１実施形態に係る用紙パックにおいて、用紙パック開封動作４を示した斜視図である。
【図７】図４〜図６に示した用紙パック開封動作２〜４における用紙パックの状態を模式的に示した図である。
【図８】（ａ），（ｂ）は本発明の第１実施形態に係る用紙パックの包装紙を全て剥がした用紙束を第１給紙装置の給紙台上にセットした状態を示す側面図、ロ−ロ断面図である。
【図９】本発明の第１実施形態に係る用紙パックにおいて、用紙パック開封順表示部の他例１を示した上面図である。
【図１０】本発明の第１実施形態に係る用紙パックにおいて、用紙パック開封順表示部の他例２を示した斜視図である。
【図１１】（ａ），（ｂ）は本発明の第２実施形態に係る用紙パックを第２給紙装置の給紙台上にセットした状態を示す側面図、ハ−ハ断面図である。
【図１２】本発明の第３実施形態に係る用紙パックを一部破断して示した斜視図である。
【図１３】（ａ），（ｂ）は本発明の第３実施形態に係る用紙パックを示した上面図，イ−イ断面図である。
【図１４】本発明の第３実施形態に係る用紙パックの前面側を開封した状態を示した斜視図である。
【図１５】特許文献１に開示された従来例の用紙パックを示した縦断面図である。
【発明を実施するための形態】
【００２４】
以下に本発明に係る用紙パックの一実施形態について、第１実施形態，第２実施形態，第３実施形態の順に詳細に説明する。
【００２５】
本発明に係る用紙パックは、所定枚数（例えば５００枚）の用紙を積層した用紙束の周囲を１枚の包装紙で包み込んでおり、用紙に画像や文字を印刷する印刷装置や、用紙に画像や文字を複写する複写機などに設けた給紙装置に適用されている。
【００２６】
そして、用紙パック開封時に、ユーザが包装紙の上面に表示した用紙パック開封順表示部に従って人手により用紙の長手方向となる一つの方向の前方側の包装紙を取り除いた後に、前方側よりも後方側の包装紙内の用紙束を人手により撓ませて用紙間に空気を入れて各用紙を捌き、給紙装置の給紙台上にセット（装着）できるように構成されている。
【００２７】
［第１実施形態］
図１は本発明の第１実施形態に係る用紙パックを一部破断して斜視的に示している。また、図２（ａ）は本発明の第１実施形態に係る用紙パックを上面から見て示し、図２（ｂ）は図２（ａ）中のイ−イ断面を示している。
【００２８】
図１及び図２（ａ），（ｂ）に示す如く、本発明の第１実施形態に係る用紙パック１０Ａでは、所定枚数（例えば５００枚）の用紙Ｐを積層した用紙束ＰＰの周囲を１枚の包装紙１１により内部を密閉した状態で包み込んでいる。
【００２９】
この際、用紙束ＰＰ内の各用紙Ｐは、例えばＡ４サイズ（２１０ｍｍ×２９７ｍｍ）などにより長方形状に形成されており、この用紙Ｐの紙面と平行な一つの方向（長手方向又は縦方向）の前方側を用紙Ｐを給紙する用紙給紙方向側として、包装紙１１の前方側を取り除いて用紙束ＰＰの捌きを人手により行い、しかる後、捌いた用紙束ＰＰを後述する第１給紙装置２０Ａ（図８）に装着する場合について以下説明する。
【００３０】
第１実施形態の用紙パック１０Ａは、一つの方向となる用紙給紙方向の前方側を包装紙１１の前面１１ａ側に設定した場合に、包装紙１１の前面１１ａの上部側に上部前面折り部１１ａ１，１１ａ２が下方に向かって折り曲げ形成され、且つ、前面１１ａの下部側に下部前面折り部１１ａ３が上方に向かって折り曲げ形成されて、上下の前面折り部同士が重なり合って接着により前面１１ａ側が封じ込められている。
【００３１】
この際、上部前面折り部１１ａ１，１１ａ２及び下部前面折り部１１ａ３の長さαは、用紙束ＰＰの厚みより僅かに短く設定されている。
【００３２】
また、包装紙１１の前面１１ａとは反対側の後面１１ｂも前面１１ａと同様に上部後面折り部（１１ｂ１，１１ｂ２…図示せず）と下部後面折り部（１１ｂ３…図示せず）とが折り曲げ形成されて、上下の後面折り部同士が重なり合って接着により後面１１ｂ側が封じ込められている。
【００３３】
また、包装紙１１の下面１１ｃは一様な面に形成されており、この下面１１ｃは長手方向の各端部が前後の面１１ａ，１１ｂ側に向かって折り曲げられて下部前面折り部１１ａ３，（下部後面折り部１１ｂ３）に連接していると共に、短手方向（用紙幅方向）の各端部が左右の側面１１ｄ，１１ｅ側に向かって折り曲げられている。
【００３４】
また、包装紙１１は、下面１１ｃとは反対側の上面１１ｆｇが、用紙給紙方向（一つの方向）と直交する方向（用紙幅方向）を一方の上面１１ｆと他方の上面１１ｇとに２分して形成されている。
【００３５】
即ち、包装紙１１の上面１１ｆｇは、左側面１１ｄと連接して上部内側に折り曲げられた一方の上面１１ｆと、右側面１１ｅと連接して上部内側に折り曲げられた他方の上面１１ｇとに用紙幅方向の略中央部位で２分して形成され、且つ、両上面１１ｆ，１１ｇは前後の面１１ａ，１１ｂ側にも折り曲げられて上部前面折り部１１ａ１，１１ａ２，上部後面折り部（１１ｂ１，１１ｂ２）に連接している。
【００３６】
そして、一方の上面１１ｆは用紙幅方向の左側に位置してこの一方の上面１１ｆのうちで用紙給紙方向に沿った側端部１１ｆ１側が、他方の上面１１ｇのうちで用紙給紙方向に沿った側端部１１ｇ１側の下に潜り込んでおり、且つ、他方の上面１１ｇは用紙幅方向の右側に位置してこの他方の上面１１ｇ中で用紙給紙方向に沿った側端部１１ｇ１側が一方の上面１１ｆ上に重なり合っている。
【００３７】
また、包装紙１１の一方の上面１１ｆと他方の上面１１ｇは、一方の上面１１ｆの側端部１１ｆ１と、他方の上面１１ｇの側端部１１ｇ１との間の区間Ｋでオーバーラップしている。
【００３８】
この際、一方の上面１１ｆ中のオーバーラップ区間内を下側オーバーラップ部１１ｆ２とし、且つ、他方の上面１１ｇ中のオーバーラップ区間内を上側オーバーラップ部１１ｇ２とすると、下側オーバーラップ部１１ｆ２及び上側オーバーラップ部１１ｇ２は前面１１ａと後面１１ｂとの間で用紙給紙方向（一つの方向）に沿って帯状に形成されていることになる。
【００３９】
また、包装紙１１は、上側オーバーラップ部１１ｇ２の裏面で側端部（縁部）１１ｇ１側の近傍が接着剤１２によって用紙給紙方向に沿って下側オーバーラップ部１１ｆ２上に接着されているので、包装紙１１の上面１１ｆｇが接着により封じ込められている。用紙Ｐの長手方向に沿って延びる接着剤１２は、特許請求の範囲における接着部を構成する。
【００４０】
なお、包装紙１１の前側の上部前面折り部１１ａ１，１１ａ２と下部前面折り部１１ａ３とは接着部１１ｍ１により封止されている。図示を省略しているが、同様に、包装紙１１の後側の上部後面折り部（１１ｂ１，１１ｂ２）と下部後面折り部（１１ｂ３）とは接着部（１1ｍ２）より封止されている。
【００４１】
また、包装紙１１は、この前面１１ａ側を用紙給紙方向の前方側とした場合に対応して、前面１１ａから用紙給紙方向に沿った所定の長さＬの位置に開封テープ１３が用紙幅方向の全周に亘って巻回されている。
【００４２】
上記した開封テープ１３は、この開封テープ１３を引き剥がしたときに、後述するように用紙給紙方向の前方側の包装紙１１Ｆ（図３）を分離する機能を有している。
【００４３】
この際、上記した所定の長さＬは、用紙パック１０Ａを後述する第１給紙装置２０Ａ（図８）の給紙台２１上にセットしたときに、用紙束ＰＰのうちで最上層の用紙Ｐに給紙ローラ２３が接離できるように設定されている。
【００４４】
また、包装紙１１は、下側オーバーラップ部１１ｆ２の側端部１１ｆ１と上側オーバーラップ部１１ｇ２の側端部１１ｇ１との間の中間部位で上側オーバーラップ部１１ｇ２に用紙パック１０Ａを開封するための切り取り線１１ｈがミシン目により開封テープ１３の位置から後面１１ｂ側まで用紙給紙方向に沿って形成されている。この切り取り線（ミシン目）１１ｈは、下側オーバーラップ部１１ｆ２上に接着剤１２により接着されている上側オーバーラップ部１１ｇ２を人手により下側オーバーラップ部１１ｆ２上から離間させる機能を有している。
【００４５】
そして、上側オーバーラップ部１１ｇ２側に形成された切り取り線（ミシン目）１１ｈは、下側オーバーラップ部１１ｆ２上に重なった状態で用紙給紙方向に沿って形成されている。また、この切り取り線（ミシン目）１１ｈは、上側オーバーラップ部１１ｇ２の縁部（１１ｇ１）近傍に形成された接着部（接着剤１２の部位）と、下側オーバーラップ部１１ｆ２の縁部（１１ｆ１）との間の領域であって、前記接着部及び前記縁部（１１ｆ１）に重ならない位置に形成されている。
【００４６】
更に、包装紙１１の一方の上面１１ｆ及び他方の上面１１ｇ上には、用紙パック１０Ａの開封順序を示す用紙パック開封順表示部１１ｉが「１」，「２」，「３」，「４」の数字を用いて包装紙１１の前面１１ａ側から後面１１ｂ側に向かって所定の間隔を隔てて用紙パック開封順に設けられている。
【００４７】
そして、用紙パック開封順表示部１１ｉは、１番目の「１」から４番目の「４」に向かって数字順に開封する順序が印刷されており、且つ、「１」，「２」，「３」，「４」の組が包装紙１１の上面１１ｆｇの用紙幅方向の左右に分かれて印刷されている。
【００４８】
これにより、後述するように、ユーザが包装紙１１の左右の側面１１ｄ，１１ｅ側を「１」，「２」，「３」，「４」の順に両手で把持しながら包装紙１１の上側オーバーラップ部１１ｇ２に形成した切り取り線（ミシン目）１１ｈの近傍部位を凸状に撓ませることで、切り取り線（ミシン目）１１ｈを切り開くことができるようになっている。
【００４９】
従って、用紙パック開封順表示部１１ｉは、ユーザの人手による用紙パック１０Ａの開封動作に伴って、上側オーバーラップ部１１ｇ２に形成した切り取り線（ミシン目）１１ｈを用紙パック開封順に切り開く作用を有していることになる。
【００５０】
尚、第１実施形態では、包装紙１１の下側オーバーラップ部１１ｆ２を包装紙１１の上側オーバーラップ部１１ｇ２の裏面に潜り込ませているが、これとは逆に、包装紙１１の上側オーバーラップ部１１ｇ２を包装紙１１の下側オーバーラップ部１１ｆ２の裏面に潜り込ませても良く、この場合には上記の各形状を左右逆転させれば良いものである。
【００５１】
ここで、上記のように構成した第１実施形態の用紙パック１０Ａの用紙パック開封動作について、図３〜図７を用いて説明する。
【００５２】
図３〜図６は本発明の第１実施形態に係る用紙パックにおいて、用紙パック開封動作１〜４を順に示している。また、図７は図４〜図６に示した用紙パック開封動作２〜４における用紙パックの状態を模式的に示している。
【００５３】
本発明の第１実施形態に係る用紙パック１０Ａを開封する際、包装紙１１の上面１１ｆｇに表示した用紙パック開封順表示部１１ｉに従ってユーザの人手により開封動作を行う。
【００５４】
まず、図３に示した用紙パック開封動作１では、用紙パック開封順表示部１１ｉ中で１番目の「１」に従って、ユーザが包装紙１１の前面１１ａから後面１１ｂに向かった所定の長さＬの位置に巻回された開封テープ１３を包装紙１１から剥離する。
【００５５】
これにより、ユーザは用紙給紙方向の前方側の包装紙１１Ｆを袋状のまま容易に抜き取ることができるので、用紙給紙方向の前方側の用紙束ＰＰが所定の長さＬの範囲に亘って外部に露出する。
【００５６】
このとき、用紙給紙方向とは反対側の後方側の包装紙１１Ｒは、下側オーバーラップ部１１ｆ２と上側オーバーラップ部１１ｇ２とが接着剤１２により封じられたままであり、且つ、包装紙１１の後方側の接着部（１１ｍ２…図示せず）により封止されている。
【００５７】
次に、図４に示した用紙パック開封動作２では、ユーザが用紙パック開封順表示部１１ｉ中で２番目の「２」に従って、「２」の位置で後方側の包装紙１１Ｒの左右の側面１１ｄ，１１ｅ側を両手で把持しながら上側オーバーラップ部１１ｇ２に形成した切り取り線（ミシン目）１１ｈの近傍部位が凸状になるよう用紙束ＰＰを矢印方向に撓ませる。
【００５８】
この用紙束ＰＰの撓ませに伴って、上側オーバーラップ部１１ｇ２に形成した切り取り線（ミシン目）１１ｈが「２」の位置よりも少し下方まで切り離されて上側オーバーラップ部１１ｇ２の用紙給紙方向の前方側が拡開するので、上側オーバーラップ部１１ｇ２の前方側が下側オーバーラップ部１１ｆ２の前方側から切り離される。
【００５９】
次に、図５に示した用紙パック開封動作３では、用紙パック開封順表示部１１ｉ中で３番目の「３」に従って、ユーザが「２」の位置と同様に、「３」の位置で後方側の包装紙１１Ｒの左右の側面１１ｄ，１１ｅ側を両手で把持しながら用紙束ＰＰを矢印方向に再度撓ませながら上側オーバーラップ部１１ｇ２に形成した切り取り線（ミシン目）１１ｈを「３」の位置よりも少し下方まで切り離す。
【００６０】
次に、図６に示した用紙パック開封動作４では、用紙パック開封順表示部１１ｉ中で４番目の「４」に従って、ユーザが「２」の位置及び「３」の位置と同様に、「４」の位置で後方側の包装紙１１Ｒの左右の側面１１ｄ，１１ｅ側を両手で把持しながら用紙束ＰＰを矢印方向に再々度撓ませながら上側オーバーラップ部１１ｇ２に形成した切り取り線（ミシン目）１１ｈを「４」の位置よりも少し下方まで切り離す。
【００６１】
この際、図７に拡大して示す如く、用紙パック開封動作２〜４を行う際に、後方側の包装紙１１Ｒの左右の側面１１ｄ，１１ｅ側を各用紙パック開封順の位置ごとに両手で把持しながら上側オーバーラップ部１１ｇ２に形成した切取り線（ミシン目）１１ｈの近傍部位が凸状になるように用紙束ＰＰを矢印方向に撓ませて、切り取り線（ミシン目）１１ｈを前面１１ａ側から後面１１ｂ側に向かって徐々に切り開いている。
【００６２】
このとき、後方側の包装紙１１Ｒのうちで下側オーバーラップ部１１ｆ２側及び上側オーバーラップ部１１ｇ２側の用紙Ｐが共に左右の側面１１ｄ，１１ｅに向かって引張られて後方側の包装紙１１Ｒ内の用紙Ｐが撓む一方、後方側の包装紙１１Ｒのうちで下面１１ｃ側の用紙Ｐは互いに内側に向かって圧縮される。
【００６３】
また、切り取り線（ミシン目）１１ｈの部分から包装紙１１が切り開かれて行くと、中の用紙Ｐが矢印Ｂ方向に撓み、密着している用紙同士が剥がれると同時に用紙間に空気が入り込む。
【００６４】
この後、後方側の包装紙１１Ｒが切り取り線（ミシン目）１１ｈを介して用紙パック開封順表示部１１ｉ中で最後の「４」の位置まで切り離されたときには、用紙間に空気が十分に入り込むので、用紙一枚ずつの間に微小な滑りが生じて用紙束ＰＰ内の各用紙Ｐが無理なく捌かれる。
【００６５】
そして、後方側の包装紙１１Ｒ内で各用紙Ｐの捌きが完了した段階で用紙パック開封動作が終了する。
【００６６】
次に、本発明の第１実施形態に係る用紙パック１０Ａを開封した後の給紙装置へのセット（装着）の一例について、図８（ａ），（ｂ）を用いて説明する。
【００６７】
まず、前述のようにして捌きが完了した用紙束ＰＰについて、後方側の包装紙１１Ｒを抜き取り、用紙束ＰＰのみとする。
【００６８】
そして、図８（ａ），（ｂ）に示す如く、用紙束ＰＰのみを第１給紙装置２０Ａの給紙台２１上にセットする。
【００６９】
上記した第１給紙装置２０Ａは、昇降駆動される給紙台２１と、給紙台２１上で用紙束ＰＰの用紙幅方向の左右を規制する左右一対のサイドフェンス２２Ｌ，２２Ｒと、用紙給紙方向の前方側の用紙束ＰＰのうちで最上層の用紙Ｐに接離する給紙ローラ２３と、給紙ローラ２３により給紙された用紙Ｐを１枚ずつ分離して給送する捌きローラ２４及び捌き板２５とで構成されている。
【００７０】
この第１給紙装置２０Ａでは、用紙束ＰＰのうちで最上層の用紙Ｐに給紙ローラ２３を当接させて、この給紙ローラ２３及び捌きローラ２４を反時計方向に回転させたときに、後方側の用紙束ＰＰの用紙間には空気が入り込んでいるので、給紙動作における用紙Ｐの重送が生じる頻度を確実に減少させることができる。
【００７１】
従って、第１実施形態の用紙パック１０Ａを用いることで、熟練していない通常のユーザでも用紙Ｐの重送が生じる可能性を確実に減少させことができる。
【００７２】
なお、上記第１実施形態の用紙パック１０Ａは、開封前の用紙保管時等において、用紙パック１０Ａの切り取り線１１ｈが形成された上面１１ｆｇ側が下向きになるように用紙パック１０Ａを置くことで、用紙Ｐの重量によって切り取り線１１ｈ全体が下側オーバーラップ部１１ｆ２と密着するため、切り取り線部分からゴミや埃、及び湿気が侵入することを防止できる。
【００７３】
また、用紙パック１０Ａを積み重ねることにより、用紙Ｐの重量によって前記切り取り線１１ｈと前記下側オーバーラップ部１１ｆ２の密着が強められ、埃や湿気等の防止効果が一層高まる。用紙パック１０Ａを積み重ねる場合、一番上となる用紙パック以外の用紙パック１０Ａは、切り取り線１１ｈが形成された上面１１ｆｇ側が上向きとなってもよいことは勿論である。
【００７４】
ところで、第１実施形態の用紙パック１０Ａにおいて、包装紙１１の上面１１ｆｇに示した用紙パック開封順表示部１１ｉの一例として「１」，「２」，「３」，「４」の数字を用いて表示しているが、更に、用紙パック開封順序をわかり易く表示する他例１，２について、図９及び図１０を用いて説明する。
【００７５】
図９は本発明の第１実施形態に係る用紙パックにおいて、用紙パック開封順表示部の他例１を示している。また、図１０は本発明の第１実施形態に係る用紙パックにおいて、用紙パック開封順表示部の他例２を示している。
【００７６】
まず、図９に示す如く、本発明の第１実施形態に係る用紙パック１０Ａにおいて、用紙パック開封順表示部の他例１では、包装紙１１の上面１１ｆｇ上に示した用紙パック開封順表示部１１ｉとして「１」，「２」，「３」，「４」の数字表示に加えて、更に、包装紙１１の上面１１ｆｇ上に用紙パックセット手順を示す用紙パックセット手順表示部１１ｊが左右の用紙パック開封順表示部１１ｉ間に印刷されている。
【００７７】
上記した用紙パックセット手順表示部１１ｊでは、
「１．「１」の位置にある開封テープを全周に亘って抜き取り、包装紙の前方を剥がしてください。
２．この面を上にして、「２」，「３」，「４」の順に、各順の位置を両手で把持して、切り取り線の部位の用紙中央部が凸状になるように撓ませて切り取り線を開いてください。
３．包装紙の後方を残したまま切り開いた切り取り線の部位を元の位置に戻し、この面を下にして給紙台上にセットしてください。」などと具体的に表示している。
【００７８】
これにより第１実施形態の用紙パック１０Ａにおける用紙パック開封動作がよりわかり易くなる。
【００７９】
次に、図１０に示す如く、本発明の第１実施形態に係る用紙パック１０Ａにおいて、用紙パック開封順表示部の他例２では、包装紙１１の上面１１ｆｇ上の左右に表示した用紙パック開封順表示部１１ｉ中で「１」，「２」，「３」，「４」の各位置に人手の親指形表示部１１ｋを左右の側面１１ｄ，１１ｅから上面１１ｆｇにかけて印刷表示して、用紙パック１０Ａを両手で撓ませる方法を具体的に示している。
【００８０】
これにより第１実施形態の用紙パック１０Ａにおける用紙パック開封動作時に、包装紙１１内の用紙束ＰＰを撓ませる方法がよりわかり易くなる。
【００８１】
なお、図１０に示す用紙パック１０Ａにおいて、切り取り線１１ｈを直線状に形成しているが、切り取り線を例えば正弦波型としたり、三角波型としてもよい。
【００８２】
［第２実施形態］
次に、本発明の第２実施形態に係る用紙パック１０Ａ’を給紙装置にセット（装着）する場合の一例について、図１１（ａ），（ｂ）を用いて説明する。
【００８３】
図１１（ａ），（ｂ）に示す如く、第２実施形態に係る用紙パック１０Ａ’は、開封前の用紙束ＰＰと包装紙１１からなる構成が先に図１及び図２（ａ），（ｂ）を用いて説明した第１実施形態の用紙パック１０Ａと同一である。
【００８４】
そして、第２実施形態に係る用紙パック１０Ａ’でも、先に図３〜図６を用いて説明したように、前方側の包装紙１１Ｆを分離した後、後方側の包装紙１１Ｒ内での用紙束ＰＰの捌き処理を行う工程についても第１実施形態と同様であり、その説明を省略する。
【００８５】
先に説明した第１実施形態では、用紙束ＰＰの捌き処理を行った後、後方側の包装紙１１Ｒも取り去り、捌かれた用紙束ＰＰを第１給紙装置２０Ａ（図８）にセットしていたが、この第２実施形態では、後方側の包装紙１１Ｒ内で捌かれた用紙束ＰＰが包まれたままの状態において、用紙束ＰＰを第２給紙装置２０Ｂの給紙台２１上に載置する。
【００８６】
この際、後方側の包装紙１１Ｒの上側オーバーラップ部１１ｇ２に形成した切り取り線（ミシン目）１１ｈの部位は、用紙給紙方向に沿って切り開かれているが、この切り開かれた部分が直線状に重なるように用紙束ＰＰの形を整え、元の位置に戻す。
【００８７】
この後、後方側の包装紙１１Ｒの上面１１ｆｇが下になるように上下を反転させて、後方側の包装紙１１Ｒの上面１１ｆｇを第２給紙装置２０Ｂの給紙台２１上にセットする。従って、後方側の包装紙１１Ｒの下面１１ｃが上になる。
【００８８】
上記した第２給紙装置２０Ｂは、第２実施形態の用紙パック１０Ａ’内の用紙束ＰＰを載置する給紙台２１と、給紙台２１台上で用紙束ＰＰの用紙幅方向の左右を規制する左右一対のサイドフェンス２２Ｌ，２２Ｒと、用紙給紙方向の前方側の用紙束ＰＰのうちで最上層の用紙Ｐに接離する給紙ローラ２３と、給紙ローラ２３により給紙された用紙Ｐを１枚ずつ分離して給送する捌きローラ２４及び捌き板２５とで構成されている。
【００８９】
また、給紙台２１の下部には、後方側の包装紙１１Ｒから露出した用紙Ｐを検知するための用紙有無センサ３０が設けられており、この用紙有無センサ３０の取り付け位置は、先に図３を用いて説明したように、前方側の包装紙１１Ｆを取り除いたときに、前面１１ａから用紙給紙方向に沿った所定の長さＬ内に設定されている。
【００９０】
このような第２実施形態とすることで、第１実施形態と同様に給紙動作における用紙Ｐの重送が生じる頻度を確実に減少させることができる。また、用紙束ＰＰを捌いた後で後方側の包装紙１１Ｒを取ることなく第２給紙装置２０Ｂにセットできるため、用紙Ｐの位置ずれを抑えつつ迅速に用紙束ＰＰを第２給紙装置２０Ｂにセットすることができる。
【００９１】
なお、図１１（ａ），（ｂ）においては後方側の包装紙１１Ｒの下面１１ｃが上になるように用紙束ＰＰを給紙台２１上にセットしているが、後方側の包装紙１１Ｒの下面１１ｃが下になるように用紙束ＰＰをセットしてもよいことは勿論である。
【００９２】
［第３実施形態］
図１２は本発明の第３実施形態に係る用紙パックを一部破断して斜視的に示している。また、図１３（ａ）は本発明の第３実施形態に係る用紙パックを上面から見て示し、図１３（ｂ）は図１３（ａ）中のイ−イ断面を示している。また、図１４は本発明の第３実施形態に係る用紙パックにおいて、用紙パック開封動作を示している。
【００９３】
図１２及び図１３（ａ），（ｂ）に示す如く、本発明の第３実施形態に係る用紙パック１０Ｂも、先に図１及び図２（ａ），（ｂ）を用いて説明した第１実施形態の用紙パック１０Ａと同様に、所定枚数（例えば５００枚）の用紙Ｐを積層した用紙束ＰＰの周囲を１枚の包装紙１１により内部を密閉した状態で包み込んでいる。
【００９４】
ここで、本発明の第３実施形態に係る用紙パック１０Ｂは、先に説明した本発明の第１実施形態に係る用紙パック１０Ａに対して一部異なっており、第１実施形態と同じ構成部に対して同一の符号番号を付して詳細な説明を省略し、第１実施形態に対して異なる構成部に新たな符号番号を付して異なる点についてのみ以下説明する。
【００９５】
勿論、第３実施形態に係る用紙パック１０Ｂは、第１実施形態と同じ構成で先に図１１（ａ），（ｂ）を用いて説明した本発明の第２実施形態の用紙パック１０Ａ’に対しても一部異なっている。
【００９６】
図１２及び図１３（ａ），（ｂ）に示す如く、第３実施形態に係る用紙パック１０Ｂでは、先に説明した第１実施形態の用紙パック１０Ａの包装紙１１の用紙給紙方向の前方側に巻回させた開封テープ１３を削除して、第３実施形態の用紙パック１０Ｂに対して簡素化及びコストダウン化を図っている点が第１実施形態に対して異なっている。
【００９７】
上記に伴って、包装紙１１の上面１１ｆｇ中で上側オーバーラップ部１１ｇ２に形成した切り取り線（ミシン目）１１ｈ’は、包装紙１１の前面１１ａ側に形成した上部前面折り部１１ａ２の端部から後面１１ｂまでの間を用紙給紙方向（一つの方向）に沿って形成されている点が第１実施形態とは異なっている。
【００９８】
従って、第３実施形態に係る用紙パック１０Ｂを開封するときに、先に図３を用いて説明した開封テープ１３を剥離する動作はない。この実施形態では下部前面折り部１１ａ３をユーザが手で引張り、接着部１１ｍ１による前側の上部前面折り部１１ａ１，１１ａ２と下部前面折り部１１ａ３との接着を剥離する。すると、図１４に示すように用紙束ＰＰの前側の部分が露出する状態となる。
【００９９】
この後、包装紙１１の上面１１ｆｇに表示した用紙パック開封順表示部１１ｉに従って用紙パック１０Ｂを開封する用紙パック開封動作２〜４は、先に図４〜図６を用いて説明した第１実施形態における用紙パック開封動作２〜４と同じに行えば良い。
【０１００】
そして、用紙パック開封動作２〜４により包装紙１１内の用紙束ＰＰを捌いた後に、包装紙１１を全て取り除き、用紙束ＰＰのみを第１給紙装置２０Ａ（図８）の給紙台２１上にセットすれば良い。
【０１０１】
なお、第３実施形態では、第１実施形態と異なり、用紙パック開封動作２に至るまでの切り取り線（ミシン目）１１ｈ’の長さがやや長いが、切り取り線１１ｈ’が前面側の開放端まできっちりと形成されているため、大きな力を要することなく切り取り線１１ｈ’を容易に開いていくことができる。
【０１０２】
従って、本発明の第３実施形態に係る用紙パック１０Ｂでも、第１実施形態と略同様な効果が得られる。
【符号の説明】
【０１０３】
１０Ａ…第１実施形態の用紙パック、
１０Ａ’…第２実施形態の用紙パック、
１０Ｂ…第３実施形態の用紙パック、
１１…包装紙、１１Ｆ…用紙給紙方向の前方側の包装紙、１１Ｒ…後方側の包装紙、
１１ａ…前面、１１ａ１，１１ａ２…上部前面折り部、１１ａ３…下部前面折り部、
１１ｂ…後面、１１ｃ…下面、１１ｄ…左側面、
１１ｅ…右側面、１１ｆｇ…上面、１１ｆ…一方の上面、
１１ｆ１…下側オーバーラップ部１１ｆ２の側端部、１１ｆ２…下側オーバーラップ部、
１１ｇ…他方の上面、１１ｇ１…上側オーバーラップ部１１ｇ２の側端部、
１１ｇ２…上側オーバーラップ部、
１１ｈ…第１，第２実施形態における切り取り線（ミシン目）、
１１ｈ’…第３実施形態における切り取り線（ミシン目）、
１１ｉ…用紙パック開封順表示部、１１ｊ…用紙パックセット手順表示部
１１ｋ…親指形表示部、１２…接着剤、１３…開封テープ、
２０Ａ…第１給紙装置、２０Ｂ…第２給紙装置、２１…給紙台、２３…給紙ローラ、
３０…用紙有無センサ、Ｐ…用紙、ＰＰ…用紙束。
【図１】
2017226421.tif 000003
【図２】
2017226421.tif 000004
【図３】
2017226421.tif 000005
【図４】
2017226421.tif 000006
【図５】
2017226421.tif 000007
【図６】
2017226421.tif 000008
【図７】
2017226421.tif 000009
【図８】
2017226421.tif 000010
【図９】
2017226421.tif 000011
【図１０】
2017226421.tif 000012
【図１１】
2017226421.tif 000013
【図１２】
2017226421.tif 000014
【図１３】
2017226421.tif 000015
【図１４】
2017226421.tif 000016
【図１５】
2017226421.tif 000017